(57)【要約】【課題】簡素化されて構造でありながら、室外において高雪密度状態にした雪のブロック体の存在位置まで移動して、その周囲を覆うことができるドーム型移動式雪保管用雪氷庫を提供する。【解決手段】雪氷庫１０を複数のブロック１１に分けて構成する。各ブロック１１は、側面視略半円形状の支持枠体１２にて区切られ、さらに支持枠体１２間を、可撓性を有する側壁材１３により連結する。各ブロック１１の底部には車輪１４を設けて、雪のブロックＳを形成した位置まで案内するレール１５上に載置する。非使用時には、雪氷庫１０は、支持枠体１２を接近させることにより、各ブロック１１の側壁材１３が撓むことによって全体が折り畳まれた状態になる。【選択図】図３
2005201617.tif 000002
【特許請求の範囲】
【請求項１】
雪を高密度状態のブロックにして積載した雪保管場所に対して、他所から移動して雪のブロックの全周囲を覆い貯蔵保管状態にするドーム型移動式雪保管用雪氷庫であって、
雪氷庫本体を移動方向に複数のブロックに分けて連結し、前記各ブロックの主要部を、可撓性を有するシート材にて作成し、かつ前記各ブロックの底部に、雪氷庫本体の移動領域に敷設されたレール体に載置されて移動するガイド体を設け、非使用時には前記各ブロックを接近させ、使用時には前記各ブロック部分を広げてドーム状にして前記雪保管場所を覆う構成にしたことを特徴とするドーム型移動式雪保管用雪氷庫。
【請求項２】
雪を高密度状態のブロックにして積載した雪保管場所に対して、他所から移動して雪のブロックの全周囲を覆い貯蔵保管状態にするドーム型移動式雪保管用雪氷庫であって、
雪氷庫本体を移動方向に複数のブロックに分けて連結し、前記各ブロックを、外形状を異ならせ、小さい外形状のブロックが大きな外形状のブロックに入り込める形状の複数の半筒状体にて作成し、かつ前記各ブロックの底部に、雪氷庫本体の移動領域に敷設されたレール体に載置されて移動するガイド体を設け、非使用時には前記各ブロックが互いに入り込み、使用時には前記各ブロックを広げるように移動してドーム状にして前記雪保管場所を覆う構成にしたことを特徴とするドーム型移動式雪保管用雪氷庫。
【請求項３】
前記雪のブロックを前記雪氷庫により覆うときに、前記雪氷庫の各ブロックの内壁部と、前記雪のブロックの外周との隙間に断熱材を介在させたことを特徴とする請求項１または２記載のドーム型移動式雪保管用雪氷庫。
【発明の詳細な説明】
【技術分野】
【０００１】  本発明は、冬期に降雪した雪を夏季まで貯蔵して、冷房などに利用する雪利用の冷却技術に係り、特に移動して雪のブロックの全周囲を覆い貯蔵保管状態にするドーム型の移動式雪保管用雪氷庫に関するものである。
【背景技術】
【０００２】  近年、環境問題の一環として、自然エネルギを有効に家庭，職場などの民生レベルの環境に導入して利用しようとする流れがある。【０００３】  この自然エネルギの民生への導入のひとつとして、冬期に降雪した雪を夏季まで貯蔵して、冷房に利用する雪冷房（冷房）技術がある。この雪冷房の基本技術は、降雪した雪を専用の建築物，地下室など（雪氷庫）の中に集めて貯蔵しておき、夏季に雪室からの冷気あるいは冷水を冷房対象箇所へ流出させるための構造体などを設置するものである（特許文献１，特許文献２，特許文献３参照）。【０００４】  現状の雪冷房の一例としては、搬送してきた雪を、断熱構造をなす雪氷庫内へロータリーブロアーにて送り込み、雪氷庫内に貯蔵保管する構成のものがあり、この方法によると、雪氷庫内で貯蔵保管される雪密度は０．５０〜０．５５程度である。この雪密度をさらに高くすることが効率的な雪冷房を可能にすることになる。【０００５】  しかし、実際には簡単に雪密度を高くすることはできない。例えば、従来のロータリーブロアーにて雪を送り込む方法では、雪密度を高くすれば、雪圧が雪氷庫の側面に加わることになる。雪氷庫の側面は、通常、断熱材にて構成されているため、その断熱材に圧縮加重が加わり、このため断熱材を変形させて肉厚を薄くしてしまい、結果として断熱係数を低下させる原因となって、これにより所期の断熱効果を望むことができなくなるという問題が生じる。【０００６】  そこで、本件出願人は、室外において雪をブロック状に固めて高雪密度にし、高雪密度状態にした雪のブロック体の存在位置まで雪氷庫を移動して、その周囲を覆うことによって雪の貯蔵保管を行う方法を提案し、特許文献４のような特許出願を行った。
【特許文献１】特開平７−３０５８７３号公報
【特許文献２】特開２００１−５９６６６号公報
【特許文献３】特開２００３−５６８６６号公報
【特許文献４】特開２００３−３３６８６９号公報
【発明の開示】
【発明が解決しようとする課題】
【０００７】  前記特許文献４の発明では、室外において任意の方法により、雪を押し固めるようにすることが可能であり、容易に高密度の雪ブロックにすることができるため、雪の高密度化において非常に効果的かつ効率的な方法であるといえる。【０００８】  そして、図１２に示すように、前記高密度の雪ブロックＳの保管場所に対して、断熱構造の雪氷庫１を他所から移動して雪ブロックＳの全周囲を覆うことによって貯蔵保管を良好な状態にできるようになるため、雪の保管，貯蔵法として従来にない顕著な効果が得られるとして評価を得ており、また、実際の検証テストにおいても良好な結果が得られている。【０００９】  しかし、移動式雪氷庫は、全体が断熱構造となっており、かつ容量の大きなものであり、このような雪氷庫を常時設置しておくことは、その雪氷庫を別の用途で使用する意図があればよいが、そうでない場合には、設置スペースが無駄になることになり、このため、非使用時の設置スペースを小さくすることが望まれてきた。【００１０】  そこで本発明は、前記従来の課題を解決し、簡素化された構造でありながら、室外において高雪密度状態にした雪のブロック体の存在位置まで移動して、その周囲を覆うことができるドーム型移動式雪保管用雪氷庫を提供することを目的とする。
【課題を解決するための手段】
【００１１】  前記目的を達成するため、本発明のドーム型移動式雪保管用雪氷庫は、雪を高密度状態のブロックにして積載した雪保管場所に対して、他所から移動して雪のブロックの全周囲を覆い貯蔵保管状態にするドーム型移動式雪保管用雪氷庫であって、雪氷庫本体を移動方向に複数のブロックに分けて連結し、前記各ブロックの主要部を、可撓性を有するシート材にて作成し、かつ前記各ブロックの底部に、雪氷庫本体の移動領域に敷設されたレール体に載置されて移動するガイド体を設け、非使用時には前記各ブロックを接近させ、使用時には前記各ブロック部分を広げてドーム状にして前記雪保管場所を覆う構成にしたものである。【００１２】  この構成により、移動する雪氷庫を、非使用時には各ブロックを近接させ、折り畳むようにして置いておくことができるため、雪氷庫を使用状態で常に設置するより、非使用時の容積が小さくなり、設置スペースを格段と小さくすることができ、しかも、雪氷庫のブロック体を、雪のブロックの大きさに対応させて、必要量だけ移動させるようにすることも可能になる。【００１３】  また、本発明のドーム型移動式雪保管用雪氷庫は、ブロックの全周囲を覆い貯蔵保管状態にするドーム型移動式雪保管用雪氷庫であって、雪氷庫本体を移動方向に複数のブロックに分けて連結し、前記各ブロックを、外形状を異ならせ、小さい外形状のブロックが大きな外形状のブロックに入り込める形状の複数の半筒状体にて作成し、かつ前記各ブロックの底部に、雪氷庫本体の移動領域に敷設されたレール体に載置されて移動するガイド体を設け、非使用時には前記各ブロックが互いに入り込み、使用時には前記各ブロックを広げるように移動してドーム状にして前記雪保管場所を覆う構成にしたものである。【００１４】  この構成により、移動する雪氷庫を、非使用時には各ブロックを外形の大きなものの中に順次収納して置いておくことができるため、雪氷庫を使用状態で常に設置するより、非使用時の容積が小さくなり、設置スペースを格段と小さくすることができ、しかも、雪氷庫のブロック体を、雪のブロックの大きさに対応させて、必要量だけ移動させるようにすることも可能になる。【００１５】  さらに、本発明のドーム型移動式雪保管用雪氷庫は、前記雪のブロックを前記雪氷庫により覆うときに、前記雪氷庫の各ブロックの内壁部と、前記雪のブロックの外周との隙間に断熱材を介在させたものである。【００１６】  この構成により、ドーム形状になった後に断熱材を介在させるため、雪氷庫自体を高断熱構造にする必要がなくなり、また、雪氷庫本体の内壁部と雪のブロックとの状況に応じた断熱構造にすることが可能になる。
【発明の効果】
【００１７】  本発明のドーム型移動式雪保管用雪氷庫によれば、移動する雪氷庫を、非使用時にブロック同士を近接させたり、あるいはブロックを外形の大きなブロック内に収納させて置くことができ、雪氷庫を常に使用状態の容積で設置しておくことに比べて、非使用時の容積が小さくなり、設置スペースを格段と小さくすることができ、しかも、雪氷庫のブロック体を、雪のブロックの大きさに対応させて、必要量だけ移動させるようにすることができ、これにより無駄な空間をなくすことができ、雪保管効率を向上させる効果もある。【００１８】  また、ドーム形状になった後に断熱材を介在させることができるため、雪氷庫自体をあらかじめ高断熱構造にしておく必要がなくなり、また、雪氷庫本体の内壁部と雪のブロックとの状況に応じた断熱構造にすることが可能になる。
【発明を実施するための最良の形態】
【００１９】  以下、本発明の実施形態を図面に基づいて説明する。
図１は本発明の第１実施形態を説明するためのドーム型移動式雪保管用雪氷庫の折り畳み状態（非使用時）を示す正面図、図２は図１の雪氷庫のスライド過程を示す正面図、図３は図１の雪氷庫の最大スライド時における状態を示す正面図、図４は図１の雪氷庫における側面図である。【００２０】  図１〜図４において、雪氷庫１０は複数（図では３つ）のブロック１１に分けて構成されており、各ブロック１１は、側面視略半円形状をなす支持枠体１２にて区切られ、さらに支持枠体１２間は、可撓性を有するテント材料，耐候性に優れた樹脂シートなどの側壁材１３が設けることで連結している。また、図中の１４は移動時のガイド体である車輪であって、雪のブロックが形成される位置まで敷設されているレール１５上に載るように、各支持枠体１２に設けられている。【００２１】  次に、第１実施形態の雪氷庫の使用方法について説明する。
非使用時には、雪氷庫１０は、支持枠体１２を接近させることにより側壁材１３が撓むことによって、図１に示すように、各ブロック１１全体が折り畳まれた状態になっている。【００２２】  そして、高密度状態に形成された雪ブロックＳの全周囲を覆い貯蔵保管状態にするときには、図２に示すように、ブロック１１と支持枠体１２を雪ブロックＳに近づけるようにレール１５上を移動させ、徐々に支持枠体１２間を広げていき、図３に示すように、雪ブロックＳの全周囲を覆い貯蔵保管状態にする。【００２３】  図３の状態にした後、図４に示すように、雪氷庫１０の両側の開口部分に、それぞれ遮蔽壁材１６を設置することにより、密閉状態の雪氷庫１０を完成する。なお、各ブロック１１の側壁材１３には、断熱構造にするため、発泡剤を壁面に吹付けることなどが必要となる。【００２４】  図５に示す１７は球形の発泡ウレタンからなる断熱材であり、この球形の断熱材１７を、雪氷庫１０の内壁部と雪ブロックＳの外周との隙間に、圧縮空気などを用いて送り込み隙間全体をこの断熱材１７にて埋めるようにすることも考えられる。【００２５】  図５に示すように、各断熱材１７を紐状体１８によって連結しておくことにより、夏期が過ぎて雪が解けた後に、全ての断熱材１７を容易に回収することができ、再使用が可能になる。なお、断熱材１７の形状，特性などは使用状況によって適宜選択する。【００２６】  図６，図７は第１実施形態の変形例の構成を示す図であり、図６は雪氷庫のスライド過程を示す正面図、図７は図６の雪氷庫の最大スライド時における状態を示す正面図である。【００２７】  図６，図７の構成例が第１実施形態と異なる点は、各ブロック１１の支持枠体１２の間に、伸縮自在の補強枠体１９をクロス状にして設置した構成である。補強枠体１９によって、ブロック１１の移動時における安定性が増し、またドーム状にしたときの雪氷庫１０における機械的補強手段となる。【００２８】  図８は本発明の第２実施形態を説明するためのドーム型移動式雪保管用雪氷庫の格納状態（非使用時）を示す正面図、図９は図８の雪氷庫のスライド過程を示す正面図、図１０は図８の雪氷庫の最大スライド時における状態を示す正面図、図１１は格納状態の雪氷庫を横断面して示す上面図である。【００２９】  第２実施形態では、雪氷庫１０の各ブロック２１ａ〜２１ｄを、外形が徐々に小さくなり、小さい外形状のブロック２１ｂ〜２１ｄが、大きな外形状のブロック２１ａに入り込める形状の複数（図では４つのブロック）の半筒状体にて作成している。また各ブロック２１ａ〜２１ｄの底部には、第１実施形態と同様に、雪氷庫１０の移動領域に敷設されたレール１５に載る車輪１４が設けられている。【００３０】  次に、第２実施形態の雪氷庫の使用方法について説明する。
非使用時には、図８に示すように、雪氷庫１０は、各ブロック２１が格納状態にあり、そして、第１実施形態と同様に、雪ブロックの全周囲を覆い貯蔵保管状態にするときには、ブロック２１を雪ブロックに近づけるようにレール１５上を移動させ、図９に示すように、徐々にブロック２１ｂ〜２１ｄを引き出していき、図１０に示すように、雪ブロックの全周囲を覆うことができる貯蔵保管状態にする。【００３１】  図９の状態にした後、第１実施形態と同様に、雪氷庫１０のブロック２１の開口側部に遮蔽壁材を設置し、かつ必要に応じて断熱処理を行うことによって、密閉状態の雪氷庫１０を完成する。
【産業上の利用可能性】
【００３２】  本発明は、冬期に降雪した雪を夏季まで貯蔵して、冷房などに利用する雪利用冷却に適用され、効率的に雪を貯蔵保管するため、雪を高密度状態のブロック状にして積載した雪保管場所に対して、他所から移動して雪のブロックの全周囲を覆い貯蔵保管状態にする移動式雪保管用雪氷庫に適用して有効である。
【図面の簡単な説明】
【００３３】
【図１】本発明の第１実施形態を説明するためのドーム型移動式雪保管用雪氷庫の折り畳み状態（非使用時）を示す正面図である。
【図２】第１実施形態の雪氷庫のスライド過程を示す正面図である。
【図３】第１実施形態の雪氷庫の最大スライド時における状態を示す正面図である。
【図４】第１実施形態の雪氷庫における側面図であるである。
【図５】本実施形態にて使用可能な球形の断熱材と、その使用例を示す説明図である。
【図６】第１実施形態の変形例である雪氷庫のスライド過程を示す正面図である。
【図７】図６の雪氷庫の最大スライド時における状態を示す正面図である。
【図８】本発明の第２実施形態を説明するためのドーム型移動式雪保管用雪氷庫の格納状態（非使用時）を示す正面図である。
【図９】第２実施形態の雪氷庫のスライド過程を示す正面図である。
【図１０】第２実施形態の雪氷庫の最大スライド時における状態を示す正面図である。
【図１１】第２実施形態の雪氷庫の格納状態を横断面して示す上面図である。
【図１２】従来の移動式雪氷庫の説明図である。
【符号の説明】
【００３４】１０  雪氷庫
１１  ブロック
１２  支持枠体
１３  側壁材
１４  車輪
１５  レール
１６  遮蔽壁材
１７  断熱材
１８  紐状体
１９  補強枠体
２１，２１ａ〜２１ｅ  ブロック
Ｓ  雪のブロック
【図１】
2005201617.tif 000003
【図２】
2005201617.tif 000004
【図３】
2005201617.tif 000005
【図４】
2005201617.tif 000006
【図５】
2005201617.tif 000007
【図６】
2005201617.tif 000008
【図７】
2005201617.tif 000009
【図８】
2005201617.tif 000010
【図９】
2005201617.tif 000011
【図１０】
2005201617.tif 000012
【図１１】
2005201617.tif 000013
【図１２】
2005201617.tif 000014